(57)【要約】【課題】本発明は、例えばテレビジョン放送を受信可能な携帯電話に適用して、近傍周波数帯域の無線通信波等を十分に抑圧することができるようにする。【解決手段】本発明は、多芯同軸ケーブル１０の芯線ＬＬ、ＬＲ、ＬＧによりオーディオ信号ＳＡＬ、ＳＡＲ等を伝送し、被覆線ＳＳによりアンテナを構成する場合に、芯線ＬＬ、ＬＲ、ＬＧ及び被覆線ＳＳ間のインピーダンスを調整し、アンテナ利得のＮＵＬＬ点を近傍周波数帯域の無線通信波等の帯域に設定する。【選択図】        図１
2010016577.tif 000002
【特許請求の範囲】
【請求項１】
外部機器との間で所望の信号を伝送し、内蔵のチューナーにより放送波を受信する本体装置と、
一端が前記本体装置に接続され、他端が前記外部機器に接続され、芯線により前記信号を伝送し、前記芯線を囲む被覆線の前記外部機器側端が開放端とされ、前記被覆線の前記本体装置側が前記チューナーのアンテナ入力端に接続された中継ケーブルとを有し、
前記中継ケーブルの前記芯線と前記被覆線との間のインピーダンスの設定により、前記被覆線によるアンテナの利得のＮＵＬＬ点が、前記チューナーの受信周波数帯域の近傍周波数帯域に設定された
受信装置。
【請求項２】
前記本体装置側端の前記芯線及び前記被覆線間に、前記中継ケーブルの前記芯線と前記被覆線との間のインピーダンスを補正するインピーダンス調整素子が設けられた
請求項１に記載の受信装置。
【請求項３】
前記インピーダンス調整素子が、コンデンサである
請求項２に記載の受信装置。
【請求項４】
前記インピーダンス調整素子が、インダクタである
請求項２に記載の受信装置。
【請求項５】
前記外部機器がイヤホンであり、
前記信号が、前記イヤホンを駆動するオーディオ信号である
請求項１に記載の受信装置。
【請求項６】
前記中継ケーブルがコネクタにより着脱可能に前記本体装置に接続された
請求項１に記載の受信装置。
【請求項７】
前記外部機器がコネクタにより着脱可能に前記中継ケーブルに接続された
請求項１に記載の受信装置。
【請求項８】
一端が本体装置に接続され、
他端が外部機器に接続され、
芯線により前記本体装置及び外部機器間で信号を伝送し、
前記芯線を囲む被覆線の前記外部機器側端が開放端とされ、
前記被覆線の前記本体装置側が前記本体装置に設けられたチューナーのアンテナ入力端に接続され、
前記芯線と前記被覆線との間のインピーダンスの設定により、前記被覆線によるアンテナの利得のＮＵＬＬ点が、前記チューナーの受信周波数帯域の近傍周波数帯域に設定された
アンテナ。
【請求項９】
一端がコネクタを介して本体装置に接続され、
他端がコネクタを介してイヤホンに接続され、
芯線により前記本体装置から出力されるオーディオ信号を前記イヤホンに伝送し、
前記芯線を囲む被覆線の前記外部機器側端が開放端とされ、
前記被覆線の前記本体装置側が前記本体装置に設けられたチューナーのアンテナ入力端に接続され、
前記芯線と前記被覆線との間のインピーダンスの設定により、前記被覆線によるアンテナの利得のＮＵＬＬ点が、前記チューナーの受信周波数帯域の近傍周波数帯域に設定された
中継ケーブル。
【発明の詳細な説明】
【技術分野】
【０００１】
本発明は、受信装置、アンテナ及び中継ケーブルに関し、例えばテレビジョン放送を受信可能な携帯電話に適用することができる。本発明は、多芯同軸ケーブルの芯線によりオーディオ信号等を伝送し、被覆線によりアンテナを構成する場合に、芯線及び被覆線間のインピーダンスを調整し、アンテナ利得のＮＵＬＬ点を近傍周波数帯域の無線通信波等の帯域に設定することにより、この近傍周波数帯域の無線通信波等を十分に抑圧することができるようにする。
【背景技術】
【０００２】
従来、テレビジョン放送等を受信可能な携帯電話は、内蔵アンテナ又は外部アンテナで放送波を受信している。ここで内蔵アンテナは、携帯電話のデザインを損なわない長所がある。しかしながら内蔵アンテナは、外部アンテナに比して感度が劣り、内部ノイズの影響を受け易い等の欠点がある。
【０００３】
これに対して外部アンテナには、ロッドアンテナ、イヤホンアンテナ等がある。ここでロッドアンテナは、内蔵アンテナに比して感度等が優れる特徴がある。しかしながらロッドアンテナは、携帯電話のデザインを損ない、さらにはアンテナが突出する等の欠点がある。これに対してイヤホンアンテナは、例えば特開２００７−１０４５９１号公報等に開示されているように、イヤホンのケーブルをアンテナとして使用するものである。イヤホンアンテナは、携帯電話のデザインを損なうことなく、感度の劣化、内部ノイズの影響を防止することができる。
【特許文献１】特開２００７−１０４５９１号公報
【発明の開示】
【発明が解決しようとする課題】
【０００４】
ところで携帯電話では、放送波の受信中に、放送波に近接した周波数帯域で各種のデータを送受する場合がある。従来の携帯電話では、このデータ送受に係る無線通信波が放送波受信用のアンテナで受信され、十分に減衰されることなくチューナーに入力される問題がある。
【０００５】
すなわち図１２は、ＵＨＦ帯域の周波数アロケーションを示す特性曲線図である。ＵＨＦ帯域は、周波数４７０〜７７０〔ＭＨｚ〕の帯域がテレビジョン放送に割り当てられる。またテレビジョン放送用の周波数帯域に近接した周波数８１０〔ＭＨｚ〕以上の周波数帯域が携帯電話に割り当てられる。なおここでこの図１２において、ＭＣＡは、Multi Channel Access System に割り当てられた周波数帯域である。
【０００６】
その結果、この場合、携帯電話では、携帯電話の無線通信波による妨害により、テレビジョン放送の放送波を正常に受信できなくなる。またＧＳＭ（Global System for Mobile Communications）の場合には、送信電力が大きいことにより、チューナー入力が過大となり、チューナーが破損する恐れもある。
【０００７】
このため従来の携帯電話では、チューナーの入力段に多段のフィルタを配置し、放送用のアンテナで受信した無線通信波を十分に抑圧するように構成されている。なおこの多段のフィルタは、例えば表面弾性波フィルタによるバンドパスフィルタと、ＬＣ回路構成によるフィルタとである。
【０００８】
しかしながらこの方法では携帯電話の構成が複雑になる問題がある。またこの多段のフィルタによる損失により、放送波の受信感度が低下する問題もある。
【０００９】
このような無線通信波と放送波との関係は、２つのチューナーでそれぞれ放送波を受信する場合にも発生する。具体的には、アナログ放送用のチューナーとディジタル放送用のチューナーとでテレビジョン方法を受信する場合に、一方の帯域の放送波が、他方の帯域の放送波の受信に影響を与える場合である。
【００１０】
本発明は以上の点を考慮してなされたもので、近傍周波数帯域の無線通信波、放送波等を十分に抑圧することができる受信装置、アンテナ及び中継ケーブルを提案しようとするものである。
【課題を解決するための手段】
【００１１】
上記の課題を解決するため請求項１の発明は、受信装置に適用して、外部機器との間で所望の信号を伝送し、内蔵のチューナーにより放送波を受信する本体装置と、一端が前記本体装置に接続され、他端が前記外部機器に接続され、芯線により前記信号を伝送し、前記芯線を囲む被覆線の前記外部機器側端が開放端とされ、前記被覆線の前記本体装置側が前記チューナーのアンテナ入力端に接続された中継ケーブルとを有し、前記中継ケーブルの前記芯線と前記被覆線との間のインピーダンスの設定により、前記被覆線によるアンテナの利得のＮＵＬＬ点が、前記チューナーの受信周波数帯域の近傍周波数帯域に設定される。
【００１２】
また請求項８の発明は、アンテナに適用して、一端が本体装置に接続され、他端が外部機器に接続され、芯線により前記本体装置及び外部機器間の信号を伝送し、前記芯線を囲む被覆線の前記外部機器側端が開放端とされ、前記被覆線の前記本体装置側が前記本体装置に設けられたチューナーのアンテナ入力端に接続され、前記芯線と前記被覆線との間のインピーダンスの設定により、前記被覆線によるアンテナの利得のＮＵＬＬ点が、前記チューナーの受信周波数帯域の近傍周波数帯域に設定される。
【００１３】
また請求項９の発明は、中継ケーブルに適用して、一端がコネクタを介して本体装置に接続され、他端がコネクタを介してイヤホンに接続され、芯線により前記本体装置から出力されるオーディオ信号を前記イヤホンに伝送し、前記芯線を囲む被覆線の前記外部機器側端が開放端とされ、前記被覆線の前記本体装置側が前記本体装置に設けられたチューナーのアンテナ入力端に接続され、前記芯線と前記被覆線との間のインピーダンスの設定により、前記被覆線によるアンテナの利得のＮＵＬＬ点が、前記チューナーの受信周波数帯域の近傍周波数帯域に設定される。
【００１４】
請求項１、請求項８、又は請求項９の構成により、被覆線の一端を開放端とし、被覆線の他端をチューナーのアンテナ入力端に接続すれば、被覆線がアンテナとして機能して種々の放送波を受信することができる。しかしながらこの場合、被覆線と芯線との容量結合により、被覆線に誘起された高周波信号が芯線に漏出し、その結果、芯線側がアンテナのスタブとして機能することになる。その結果、このスタブの電気長で決まる特定周波数でアンテナの特性が劣化する場合が発生する。そこで芯線と被覆線との間のインピーダンスの設定により、被覆線によるアンテナの利得のＮＵＬＬ点を、チューナーの受信周波数帯域の近傍周波数帯域に設定すれば、近傍周波数帯域の無線通信波等を十分に抑圧することができる。
【発明の効果】
【００１５】
本発明によれば、近傍周波数帯域の無線通信波等を十分に抑圧することができる。
【発明を実施するための最良の形態】
【００１６】
以下、適宜図面を参照しながら本発明の実施例を詳述する。
【実施例１】
【００１７】
（１）実施例の構成
図２は、本発明の実施例１の携帯電話システムを示す斜視図である。この携帯電話システム１は、中継ケーブル２及びイヤホン３によるイヤホンアンテナによりテレビジョン放送を受信する。このため携帯電話システム１は、中継ケーブル２を介して、イヤホン３が本体装置である携帯電話４に接続される。
【００１８】
ここでイヤホン３は、ケーブル６の一端にプラグ７が接続され、ケーブル６の他端に右チャンネル用及び左チャンネル用のスピーカ８Ｒ及び８Ｌが接続される。また中継ケーブル２は、ケーブル１０の一端に、イヤホン３のプラグ７を接続するジャック１１が設けられ、ケーブル１０の他端に、プラグ１２が設けられる。携帯電話４は、側面に、プラグ１２を接続するジャック１３が設けられる。
【００１９】
ここで図１に示すように、イヤホン３は、右チャンネル用及び左チャンネル用のスピーカ８Ｒ及び８Ｌからそれぞれ延長する平行２線式のケーブルが、右チャンネル及び左チャンネルのオーディオ信号でアースを共通化した３線式のフラットケーブルに接続される。イヤホン３は、この３線式のフラットケーブルの他端が３ピンのプラグ７の各端子７Ｌ、７Ｒ、７Ｇに接続される。なおイヤホン３は、右チャンネル側のケーブルに比して左チャンネル側のケーブルが長くなるように形成される。
【００２０】
中継ケーブル２のケーブル１０は、多芯同軸ケーブルであり、３本の芯線ケーブルＬＬ、ＬＲ、ＬＧを網線による被覆線ＳＳで囲って形成される。中継ケーブル２は、この３本の芯線ケーブルＬＬ、ＬＲ、ＬＧが、それぞれジャック１１の対応する端子１１Ｌ、１１Ｒ、１１Ｇに接続され、芯線ケーブルＬＬ、ＬＲ、ＬＧがそれぞれ左チャンネルオーディオ信号のホット側、右チャンネルオーディオ信号のホット側、左チャンネルオーディオ信号及び右チャンネルオーディオ信号に共通のアースに割り当てられる。被覆線ＳＳは、イヤホン３に接続されることなく、ジャック１１側端が開放端とされる。
【００２１】
ケーブル１０は、プラグ１２の背面に配置された配線基板１４を介してプラグ１２に接続され、芯線ケーブルＬＬ、ＬＲ、ＬＧ及び被覆線ＳＳがそれぞれ個別に携帯電話４に接続される。このためプラグ１２は、これら芯線ケーブルＬＬ、ＬＲ、ＬＧ及び被覆線ＳＳをそれぞれ個別に携帯電話４に接続可能に、複数の端子が設けられる。より具体的にこの実施例において、プラグ１２は、１０ピンの端子が設けられる。なお図１においては、この１０ピンの各端子を数字１から１０により示す。
【００２２】
すなわちケーブル１０は、配線基板１４に設けられた高周波遮断回路１６及び１７をそれぞれ介して、左チャンネルオーディオ信号のホット側、右チャンネルオーディオ信号のホット側がそれぞれ割り当てられた芯線ケーブルＬＬ、ＬＲが、プラグ１２の第４及び第５の端子４及び５にそれぞれ接続される。またケーブル１０は、配線基板１４に設けられた高周波遮断回路１８を介して、グランドに割り当てられた芯線ケーブルＬＧがプラグ１２の第３、第６、第１０の端子３、６、１０に接続される。またケーブル１０は、被覆線ＳＳが第１の端子１に接続される。
【００２３】
ここで高周波遮断回路１６、１７及び１８は、ケーブル６、１０に誘起された高周波信号の携帯電話４への進入を防止する回路である。従って高周波遮断回路１６、１７及び１８は、周波数の増大によりインピーダンスの増大するインダクタ素子等を適用することができ、この実施例ではチップインダクタにより構成される。また第３、第６の端子３、６は、携帯電話４で中継ケーブル２の接続を検出する接続検出用端子であり、携帯電話４は、これら第３及び第６の端子３及び６に対応するジャック１３の端子がグランドに接続されているか否か判定することにより中継ケーブル２の接続を検出する。
【００２４】
中継ケーブル２は、ケーブル１０の長さが、ＵＨＦ帯のテレビジョン放送帯域における中心周波数に対して、ほぼ１／４波長の電気長となるように設定される。これにより中継ケーブル２は、ＵＨＦ帯のテレビジョン放送を受信する場合には、１／４波長のモノポールアンテナとして機能するように構成される。
【００２５】
これに対してイヤホン３は、中継ケーブル２の長さにケーブル６の長さを加算した長さが、ＶＨＦ帯のテレビジョン放送帯域における中心周波数に対して、ほぼ１／４波長の電気長となるように設定される。これにより中継ケーブル２及びイヤホン３は、ＶＨＦ帯のテレビジョン放送を受信する場合に、１／４波長のモノポールアンテナとして機能するように構成される。
【００２６】
中継ケーブル２は、被覆線ＳＳ及びグランドに割り当てられた芯線ケーブルＬＧの配線基板１４側端が、中継ケーブル２の芯線ケーブルＬＲ、ＬＬ、ＬＧと被覆線ＳＳとの間のインピーダンスを調整するインピーダンス調整素子２０を介して接続される。ここでインピーダンス素子は、芯線ケーブルＬＬ、ＬＲ、ＬＧと被覆線ＳＳとのインピーダンスを補正し、被覆線ＳＳによるアンテナ利得のＮＵＬＬ点を、チューナー２１の受信周波数の近傍周波数帯域に設定する素子である。この実施例では、このインピーダンス調整素子２０に、芯線ケーブルと被覆線との間のリアクタンスを調整する素子、より具体的には高周波特性に優れた１〔ｐＦ〕のチップコンデンサが適用される。
【００２７】
携帯電話４は、テレビジョン放送の受信機能を有する携帯電話である。携帯電話４は、テレビジョン放送を受信するチューナー２１のアンテナ入力端が、ジャック１３の第１の端子１に接続される。これにより携帯電話４は、中継ケーブル２の被覆線ＳＳに誘起された高周波信号、被覆線ＳＳ及びイヤホン３のケーブル６で誘起された高周波信号がチューナー２１に入力される。なおここでイヤホン３のケーブル６で誘起された高周波信号は、被覆線ＳＳと芯線ケーブルＬＲ、ＬＬ、ＬＧの結合により被覆線ＳＳを介してチューナー２１に入力されることになり、その結果、チューナー２１には、被覆線ＳＳ及びイヤホン３のケーブル６で誘起された高周波信号が入力されることになる。
【００２８】
ここで中継ケーブル２及びイヤホン３は、上述したように電気長が設定されていることにより、この場合、チューナー２１は、ＵＨＦ帯域のテレビジョン放送を受信する場合は、中継ケーブル２の被覆線ＳＳをモノポールアンテナとして使用して放送波を受信する。またＶＨＦ帯域のテレビジョン放送を受信する場合は、中継ケーブル２の被覆線ＳＳとイヤホン３のケーブル６とをモノポールアンテナとして使用して放送波を受信する。
【００２９】
携帯電話４は、このチューナー２１から得られる右チャンネル及び左チャンネルのオーディオ信号ＳＡＲ及びＳＡＬをそれぞれ増幅回路２２Ｒ及び２２Ｌで増幅した後、切替回路２３を介して内蔵スピーカ２４に入力する。
【００３０】
携帯電話４は、中継ケーブル２が接続されると、コントローラ２５により切替回路２３の動作を切り換え、内蔵スピーカ２４へのオーディオ信号ＳＡＲ及びＳＡＬの出力を中止すると共に、これらオーディオ信号ＳＡＲ及びＳＡＬをジャック１３の第４及び第５の端子４、５に出力する。これにより携帯電話４は、中継ケーブル２が接続されると、内蔵スピーカ２４に代えてイヤホン３によりオーディオ信号ＳＡＬ、ＳＡＲをユーザーに提供する。
【００３１】
なおここで携帯電話４では、ジャック１３の第１０の端子１０がグランドに接続される。コントローラ２５は、中継ケーブル２によりこの第１０の端子１０に接続される第３又は第６の端子３、６の電位を監視し、この第３又は第６の端子３、６がグランド電位となると中継ケーブル２が接続されたと判定して切替回路２３の動作を切り換える。
【００３２】
（２）実施例の動作
以上の構成において、この携帯電話システム１（図１及び図２）では、ユーザーの操作に応動してチューナー２１が動作を立ち上げ、このチューナー２１で受信されたオーディオ信号ＳＡＬ及びＳＡＲが内蔵スピーカ２４から出力される。また中継ケーブル２が携帯電話４に接続されると、この中継ケーブル２の接続がコントローラ２５で検出され、オーディオ信号ＳＡＬ及びＳＡＲが内蔵スピーカ２４に代えて中継ケーブル２に出力される。
【００３３】
携帯電話システム１では、このオーディオ信号ＳＡＬ及びＳＡＲが中継ケーブル２の芯線ケーブルＬＬ及びＬＲを介してイヤホン３のケーブル６に供給され、これによりこのオーディオ信号ＳＡＬ及びＳＡＲによりイヤホン３のスピーカ８Ｌ及び８Ｒが駆動される。携帯電話システム１では、これにより中継ケーブル２を介してイヤホン３にオーディオ信号ＳＡＬ、ＳＡＲが伝送され、チューナー２１で受信した放送波の音声がイヤホン３によりユーザーに提供される。
【００３４】
携帯電話システム１では、このようにして中継ケーブル２を介してイヤホン３にオーディオ信号ＳＡＬ、ＳＡＲを伝送している状態で、中継ケーブル２のケーブル１０、イヤホン３のケーブル６に各種の高周波信号が誘起されることになる。
【００３５】
ここで携帯電話システム１では、このオーディオ信号ＳＡＬ及びＳＡＲを伝送する中継ケーブル２のケーブル１０が被覆線ＳＳにより囲まれた多芯同軸ケーブルとされ、この被覆線ＳＳがイヤホン３側で開放端とされ、この被覆線ＳＳが携帯電話４側でチューナー２１のアンテナ入力端に接続されていることにより、イヤホン３のケーブル６に誘起された高周波信号は、このケーブル１０の芯線ケーブルＬＲ、ＬＬ、ＬＧと被覆線ＳＳとの結合により、ケーブル１０の被覆線ＳＳに伝送され、この被覆線ＳＳを介してチューナー２１のアンテナ入力端に入力されることになる。
【００３６】
その結果、この場合は、イヤホン３と中継ケーブル２とによりモノポールアンテナが構成され、このモノポールアンテナに誘起された放送波をチューナー２１で受信することになる。
【００３７】
ここで携帯電話システム１では、このイヤホン３と中継ケーブル２とによるモノポールアンテナが、ＶＨＦ帯域のテレビジョン放送波に対応する長さに設定され、これによりＶＨＦ帯域のテレビジョン放送波を受信する場合には、イヤホン３と中継ケーブル２とによるモノポールアンテナでテレビジョン放送を受信する。
【００３８】
これに対して携帯電話システム１では、中継ケーブル２の被覆線ＳＳがイヤホン３側で開放端とされ、この中継ケーブル２のケーブル１０が、ＵＨＦ帯域のテレビジョン放送波に対応する長さに設定されていることにより、ＵＨＦ帯域のテレビジョン放送波を受信する場合、中継ケーブル２の被覆線ＳＳがモノポールアンテナとして機能し、この被覆線ＳＳによるモノポールアンテナによりテレビジョン放送波を受信することになる。
【００３９】
しかしながらＵＨＦ帯域を受信する場合、ケーブル１０の芯線ケーブルＬＲ、ＬＬ、ＬＧと被覆線ＳＳとの結合により、被覆線ＳＳに誘起された高周波信号が芯線ケーブルＬＲ、ＬＬ、ＬＧに漏出することになる。その結果、この漏出した高周波信号により被覆線ＳＳに高周波信号を誘起する電界が打ち消され、被覆線ＳＳが十分にアンテナとして機能しなくなる。その結果、近傍周波数帯域の無線通信波を十分に抑圧することができなくなり、またこの無線通信波の周波数帯域に近接した周波数帯域でアンテナ利得が低下する。
【００４０】
すなわち図３（Ａ）は、このアンテナ利得の低下、近傍周波数帯域の無線通信波の影響を示す特性曲線図である。この図３（Ａ）において、符号ＬＨ及びＬＶは、それぞれ水平偏波及び垂直偏波のアンテナ入力特性である。また図３（Ｂ）及び（Ｃ）は、この垂直偏波及び水平偏波の特性を詳細に示す図表である。なおこの図３に示す特性は、図１との対比により図４に示すように、インピーダンス調整素子２０に代えてチップインダクタによる高周波遮断回路３２を配置した場合の特性である。この図４の携帯電話システム３１において、図１の携帯電話システム１と同一の構成は、対応する符号を付して示し、重複した説明を省略する。
【００４１】
この場合、周波数４７０〜７７０〔ＭＨｚ〕のテレビジョン放送の帯域において、周波数７７０〔ＭＨｚ〕付近で利得が低下していることが判る。また水平偏波におけるＮＵＬＬ点が周波数８９０〔ＭＨｚ〕近傍となっており、十分に、携帯電話の無線通信波を抑圧できないことが判る。これによりこの場合、図４に示す例では、チューナー２１のアンテナ入力端に多段のフィルタ３３を設けることが必要になる。
【００４２】
この近傍周波数帯域における抑圧特性の劣化は、図５に示すように、ケーブル１０の芯線ケーブルＬＲ、ＬＬ、ＬＧと被覆線ＳＳとの容量結合により、ＵＨＦ帯域で芯線ケーブルＬＲ、ＬＬ、ＬＧとイヤホン３のケーブル６とが被覆線ＳＳによるモノポールアンテナのスタブとして機能することにより発生するものである。なお図５では、この容量結合による容量を符号Ｃにより示す。
【００４３】
そこでこの実施例では、図５との対比により図６に示すように、インピーダンス調整素子２０により芯線ケーブルＬＲ、ＬＬ、ＬＧ及び被覆線ＳＳの携帯電話４側端を接続し、このインピーダンス調整素子２０により芯線ケーブルＬＲ、ＬＬ、ＬＧ及び被覆線ＳＳ間のインピーダンス成分を調整し、スタブの電気長を補正する。
【００４４】
ここで図７（Ａ）〜（Ｃ）は、図３（Ａ）〜（Ｃ）との対比により、この実施例に係るアンテナ入力特性を示す特性曲線図及び図表である。この図７の例では、インピーダンス調整素子２０にコンデンサを適用すると、ＮＵＬＬ点を周波数の低い側に移動できることが判る。なおこの図７は、この実施例によるアンテナ入力特性であることから、インピーダンス調整素子２０は、１〔ｐＦ〕のコンデンサである。またこの図７の例では、周波数７７０〔ＭＨｚ〕付近において、アンテナ利得が増大していることが判る。また水平偏波におけるＮＵＬＬ点が周波数８１０〔ＭＨｚ〕近傍となっており、十分に、携帯電話の無線通信波を抑圧できることが判る。従って、図４の例では必要であった多段のフィルタ３３を省略し、又は構成を簡略化することができる。なお例えば多段のフィルタを構成する表面弾性波フィルタを省略した場合、フィルタによる損失を５〜１０〔ｄＢ〕程度軽減することができ、その結果、テレビジョン放送波の受信感度を向上することができる。
【００４５】
これに対して図８（Ａ）〜（Ｃ）は、図３（Ａ）〜（Ｃ）及び図７（Ａ）〜（Ｃ）との対比により、インピーダンス調整素子２０に３３〔ｎＨ〕のインダクタを適用した場合を示す特性曲線図及び図表である。この場合、ＮＵＬＬ点を周波数の高い側に移動できることが判る。
【００４６】
（３）実施例の効果
以上の構成によれば、多芯同軸ケーブルの芯線によりオーディオ信号を伝送し、被覆線によりアンテナを構成する場合に、芯線及び被覆線間のインピーダンスを調整し、アンテナ利得のＮＵＬＬ点を近傍周波数帯域の無線通信波の帯域に設定することにより、この近傍周波数帯域の無線通信波を十分に抑圧することができる。従ってこの近傍周波数帯域の無線通信波による妨害を低減して受信性能を向上することができる。またチューナーのアンテナ入力段の構成を簡略化し、さらにはチューナーの耐性を向上することができる。またこの無線通信波に近接する周波数帯域において、アンテナ利得を向上することができる。
【００４７】
またインピーダンス調整素子により芯線及び被覆線間のインピーダンスを調整することにより、このインピーダンス調整素子のインピーダンスを種々に設定してアンテナ利得のＮＵＬＬ点を自由に設定することができ、これによりアンテナの特性を高い自由度で設定することができる。
【００４８】
またこのインピーダンス調整素子にコンデンサを適用することにより、低い周波数の側にアンテナ利得のＮＵＬＬ点を移動させることができる。
【実施例２】
【００４９】
この実施例の携帯電話システムは、インピーダンス調整素子２０にインダクタが適用される。すなわちこの実施例の携帯電話システムは、中継ケーブルの長さの設定により、インピーダンス調整素子２０を設けない場合におけるＵＨＦ帯域のＮＵＬＬ点が、テレビジョン放送波の帯域内となるように設定する。またインピーダンス調整素子２０にインダクタを適用して、近傍周波数帯域の無線通信波の帯域にこのＮＵＬＬ点を移動させる。
【００５０】
この実施例のように、インピーダンス調整素子にインダクタを適用しても、実施例１と同様の効果を得ることができる。
【実施例３】
【００５１】
図９は、図６との対比により本発明の実施例３の携帯電話システムを示す接続図である。この携帯電話システム４１は、インピーダンス調整素子２０にバリキャップ４２が適用される。携帯電話システム４１は、バリキャップ４２の被覆線ＳＳ側に、高周波信号を遮断するインダクタ４３を介して、可変電源４４から出力される直流電圧が印加される。これにより携帯電話システム４１は、データ通信の周波数、テレビジョン放送の受信周波数に応じて、この可変電源４４から出力される直流電圧を可変してバリキャップ４２の容量を変更する。これによりこの携帯電話システム４１は、データ通信の周波数、テレビジョン放送の受信周波数に応じて、ＮＵＬＬ点を適切な周波数に設定し、一段とアンテナの性能を向上する。
【００５２】
この実施例のように、インピーダンス調整素子にバリキャップを適用しても、実施例１と同様の効果を得ることができる。
【００５３】
またこの実施例では、データ通信の周波数、テレビジョン放送の受信周波数に応じて、バリキャップの容量を可変してＮＵＬＬ点を適切な周波数に設定し、一段とアンテナの性能を向上することができる。
【実施例４】
【００５４】
図１０は、図６との対比により本発明の実施例４の携帯電話システムを示す接続図である。この携帯電話システム５１は、中継ケーブル２に設けられるケーブル１０の容量の設定により、近傍周波数帯域の無線通信波の帯域にＮＵＬＬ点を設定する。
【００５５】
すなわち同軸ケーブルの単位長の容量Ｃは、芯線ケーブルの直径ｄ、被覆線の内径Ｄ、芯線ケーブル及び被覆線間の絶縁体の誘電率εを用いて、Ｃ＝２πε／log （Ｄ／ｄ）により表される。従ってこの実施例では、芯線ケーブルの直径ｄ、被覆線の内径Ｄ、絶縁体の誘電率εの全部、又は一部を可変してＮＵＬＬ点を設定する。
【００５６】
この実施例のように、中継ケーブルを構成する多芯同軸ケーブルの静電容量の調整により芯線及び被覆線間のインピーダンスを調整しても、実施例１と同様の効果を得ることができる。
【実施例５】
【００５７】
図１１は、図６との対比により本発明の実施例５の携帯電話システムを示す接続図である。この携帯電話システム６１は、スイッチ回路６２及び６３による接続の切り換えにより、インピーダンス調整素子２０が、コンデンサ６４とインダクタ６５とで切り換えられる。
【００５８】
携帯電話システム６１は、データ通信の周波数、テレビジョン放送の受信周波数に応じて、インピーダンス調整素子２０が、コンデンサ６４とインダクタ６５とで切り換えられ、これによりデータ通信の周波数、テレビジョン放送の受信周波数に応じて、ＮＵＬＬ点を適切な周波数に設定し、一段とアンテナの性能を向上する。
【００５９】
この実施例のように、インピーダンス調整素子を切り換えるようにしても、実施例３と同様な効果を得ることができる。
【実施例６】
【００６０】
なお上述の実施例においては、テレビジョン放送波を受信する場合について述べたが、本発明はこれに限らず、各種放送波を受信する場合等に広く適用することができる。
【００６１】
また上述の実施例においては、コネクタを使用して着脱可能に中継ケーブルを接続し、さらにはイヤホンを接続する場合について述べたが、本発明はこれに限らず、いわゆる作り付けにより着脱困難に中継ケーブル及び又はイヤホンを接続する場合にも広く適用することができる。
【００６２】
また上述の実施例においては、イヤホンのケーブルをアンテナとして使用する場合について述べたが、本発明はこれに限らず、信号伝送用のケーブルを介して各種の外部機器にオーディオ信号、ビデオ信号等の各種信号を伝送する場合、さらには電源伝送用のケーブルを介して外部機器との間で電源を伝送する場合等に広く適用することができる。
【００６３】
また上述の実施例においては、本発明を携帯電話システムに適用する場合について述べたが、本発明はこれに限らず、放送波の受信機能を備えた携帯音楽プレイヤー等、種々の受信装置に広く適用することができる。
【産業上の利用可能性】
【００６４】
本発明は、例えばテレビジョン放送を受信可能な携帯電話に適用することができる。
【図面の簡単な説明】
【００６５】
【図１】本発明の実施例１の携帯電話システムを示す接続図である。
【図２】本発明の実施例１の携帯電話システムを示す斜視図である。
【図３】図１の携帯電話システムにおけるアンテナの特性劣化の説明に供する図である。
【図４】図３の説明に供した携帯電話システムを示す接続図である。
【図５】図４の携帯電話システムにおけるアンテナの説明に供する接続図である。
【図６】図５との対比により、図１の携帯電話システムにおけるアンテナの説明に供する接続図である。
【図７】図１の携帯電話システムにおけるアンテナの特性を示す図である。
【図８】インピーダンス調整素子にインダクタを適用した場合のアンテナの特性を示す図である。
【図９】本発明の実施例３の携帯電話システムを示す接続図である。
【図１０】本発明の実施例４の携帯電話システムを示す接続図である。
【図１１】本発明の実施例５の携帯電話システムを示す接続図である。
【図１２】ＵＨＦ帯域の周波数アロケーションを示す特性曲線図である。
【符号の説明】
【００６６】
１、３１、４１、５１、６１……携帯電話システム、２……中継ケーブル、３……イヤホン、４……携帯電話、６、１０……ケーブル、７、１２……プラグ、８Ｒ、８Ｌ……スピーカ、１１、１３……ジャック、２０……インピーダンス調整素子、２１……チューナー、４２……バリキャップ、４３、６５……インダクタ、６４……コンデンサ、ＬＬ、ＬＲ、ＬＧ……芯線ケーブル、ＳＳ……被覆線
【図１】
2010016577.tif 000003
【図２】
2010016577.tif 000004
【図３】
2010016577.tif 000005
【図４】
2010016577.tif 000006
【図５】
2010016577.tif 000007
【図６】
2010016577.tif 000008
【図７】
2010016577.tif 000009
【図８】
2010016577.tif 000010
【図９】
2010016577.tif 000011
【図１０】
2010016577.tif 000012
【図１１】
2010016577.tif 000013
【図１２】
2010016577.tif 000014